(57)【要約】【課題】  より広い領域に光を出射することが可能なＬＥＤ照明灯および発光式看板装置を提供すること。【解決手段】  複数のＬＥＤチップ２２ａを有するＬＥＤ発光部２と、ＬＥＤ発光部２を支持する支持部材１と、ＬＥＤ発光部２および支持部材１を収容し、かつＬＥＤ発光部２からの光を透過する、ｘ方向に一致する軸方向を有する筒状の透光カバー４と、を備えるＬＥＤ照明灯Ａ１であって、ＬＥＤ発光部２は、各々の主出射方向がｙ方向において互いに反対側を向く第一発光列２０Ａおよび第二発光列２０Ｂを有する。【選択図】  図２
2015133248.tif 000002
【特許請求の範囲】
【請求項１】
複数のＬＥＤチップを有するＬＥＤ発光部と、
上記ＬＥＤ発光部を支持する支持部材と、
上記ＬＥＤ発光部および上記支持部材を収容し、かつ上記ＬＥＤ発光部からの光を透過する、第一方向に一致する軸方向を有する筒状の透光カバーと、を備えるＬＥＤ照明灯であって、
上記ＬＥＤ発光部は、各々の主出射方向が上記第一方向に対して直角である第二方向において互いに反対側を向く第一発光列および第二発光列を有することを特徴とする、ＬＥＤ照明灯。
【請求項２】
上記支持部材は、上記第二方向において上記ＬＥＤ発光部の上記第一発光列および上記第二発光列の間に介在し、かつ上記第一方向および上記第二方向のいずれに対しても直角である第三方向に起立部を有する、請求項１に記載のＬＥＤ照明灯。
【請求項３】
上記ＬＥＤ発光部は、上記複数のＬＥＤチップのうち上記第一発光列に含まれるものを支持する第一ＬＥＤ基板と、上記複数のＬＥＤチップのうち上記第二発光列に含まれるものを支持する第二ＬＥＤ基板と、を有する、請求項２に記載のＬＥＤ照明灯。
【請求項４】
上記第一ＬＥＤ基板および上記第二ＬＥＤ基板は、上記第一方向を長手方向とし、上記第二方向を厚さ方向とする長矩形状である、請求項３に記載のＬＥＤ照明灯。
【請求項５】
上記支持部材は、上記ＬＥＤ発光部のうち上記第一発光列を構成する部分と係合する第一係合部と、上記ＬＥＤ発光部のうち上記第二発光列を構成する部分と係合する第二係合部と、を有する、請求項２ないし４のいずれかに記載のＬＥＤ照明灯。
【請求項６】
上記ＬＥＤ発光部のうち上記第一発光列を構成する部分を、上記第一係合部に対して上記第一方向に相対動させることにより係合させ、
上記ＬＥＤ発光部のうち上記第二発光列を構成する部分を、上記第二係合部に対して上記第一方向に相対動させることにより係合させる、請求項５に記載のＬＥＤ照明灯。
【請求項７】
上記ＬＥＤ発光部のうち上記第一発光列を構成する部分と上記起立部との間、および上記ＬＥＤ発光部のうち上記第二発光列を構成する部分と上記起立部との間に、充填材が介在している、請求項５または６に記載のＬＥＤ照明灯。
【請求項８】
上記ＬＥＤ発光部のうち上記第一発光列を構成する部分と上記ＬＥＤ発光部のうち上記第二発光列を構成する部分とは、上記起立部に接着されている、請求項２ないし４のいずれかに記載のＬＥＤ照明灯。
【請求項９】
上記起立部は、一つの壁板部からなる、請求項２ないし８のいずれかに記載のＬＥＤ照明灯。
【請求項１０】
上記起立部は、上記第二方向において互いに離間し、かつ互いに平行である二つの壁板部からなる、請求項２ないし８のいずれかに記載のＬＥＤ照明灯。
【請求項１１】
上記支持部材は、上記二つの壁板部を連結する連結板部を有する、請求項１０に記載のＬＥＤ照明灯。
【請求項１２】
上記ＬＥＤ発光部に電力を供給する電源部を備える、請求項２ないし１１のいずれかに記載のＬＥＤ照明灯。
【請求項１３】
上記支持部材は、電源部収容部を有する、請求項１２に記載のＬＥＤ照明灯。
【請求項１４】
上記電源部収容部は、上記起立部に対して、上記第一方向および上記第二方向のいずれに対しても直角である第三方向に偏位して配置されている、請求項１３に記載のＬＥＤ照明灯。
【請求項１５】
上記ＬＥＤ発光部に電力を供給する電源部を備え、
上記支持部材は、上記電源部を収容する電源部収容部を有しており、
上記起立部は、上記電源部収容部を構成する部材とは別部材とされ、かつ上記電源部収容部を構成する部材に接合されている、請求項９に記載のＬＥＤ照明灯。
【請求項１６】
上記ＬＥＤ発光部に電力を供給する電源部を備え、
上記支持部材は、上記起立部の上記二つの壁板部によって構成され、上記電源部を収容する電源部収容部を有する、請求項１０または１１に記載のＬＥＤ照明灯。
【請求項１７】
上記電源部は、複数の電子部品と、これらの電子部品が搭載された搭載面および少なくともこの搭載面に形成された配線パターンを有する電源基板とを具備しており、
上記電源基板は、厚さ方向に貫通し、かつ上記複数の電子部品のいずれかである特定電子部品の少なくとも一部を収容する空隙部を有する、請求項１２ないし１６のいずれかに記載のＬＥＤ照明灯。
【請求項１８】
上記空隙部は、上記電源基板を貫通する貫通孔である、請求項１７に記載のＬＥＤ照明灯。
【請求項１９】
上記電源基板は、細長状である、請求項１８に記載のＬＥＤ照明灯。
【請求項２０】
上記電源基板は、幅方向において上記空隙部を挟む一対の側枠部を有している、請求項１９に記載のＬＥＤ照明灯。
【請求項２１】
上記複数の電子部品は、上記一対の側枠部を避けた位置に搭載されている、請求項２０に記載のＬＥＤ照明灯。
【請求項２２】
上記特定電子部品は、上記電源基板の長手方向両側に突出する複数の実装端子を有している、請求項１７ないし２１のいずれかに記載のＬＥＤ照明灯。
【請求項２３】
上記特定電子部品は、トランスである、請求項１７ないし２２のいずれかに記載のＬＥＤ照明灯。
【請求項２４】
上記透光カバーは、上記第一方向に延びており、かつ上記支持部材と係合する内向きリブを有する、請求項１ないし２３のいずれかに記載のＬＥＤ照明灯。
【請求項２５】
上記支持部材は、上記第一方向に延びており、かつ上記透光カバーの上記内向きリブと係合する外向きリブを有する、請求項２４に記載のＬＥＤ照明灯。
【請求項２６】
請求項１ないし２５のいずれかに記載の複数の上記ＬＥＤ照明灯と、これらのＬＥＤ照明灯を覆う表示カバーと、を備えることを特徴とする、発光式看板装置。
【請求項２７】
上記複数のＬＥＤ照明灯は、上記第三方向に沿って平行に配置されている、請求項２６に記載の発光式看板装置。
【請求項２８】
上記表示カバーは、上記複数のＬＥＤ照明灯を挟んで上記第二方向に離間配置された一対の表示パネル部を有する、請求項２７に記載の発光式看板装置。
【発明の詳細な説明】
【技術分野】
【０００１】
本発明は、ＬＥＤ照明灯および発光式看板装置に関する。
【背景技術】
【０００２】
直管形蛍光灯の代替品として、複数のＬＥＤチップを具備したＬＥＤ照明灯が提案されている。特許文献１には、長矩形状のＬＥＤ基板の片面に複数のＬＥＤチップが保持された構成が開示されている。このＬＥＤ基板および複数のＬＥＤチップは、筒状の透光カバーに収容されている。このような構成によれば、上記ＬＥＤ基板の上記片面が向く方向が主出射方向となるように、光が発せられる。たとえば、天井に設置された直管形蛍光灯用の照明器具に、上記ＬＥＤ基板の上記片面が床面を向く姿勢で上記ＬＥＤ照明灯を取り付けることにより、直管形蛍光灯と似た態様で室内を照らすことができる。
【０００３】
しかしながら、直管形蛍光灯の用途は、室内照明にとどまらない。たとえば、屋外に設置された店舗の発光式看板装置の光源として、複数の直管形蛍光灯が用いられる。この発光式看板装置は、たとえば複数の直管形蛍光灯を収容する表示カバーを有している。この表示カバーは、複数の直管形蛍光灯からの光を透過することによって、文字や図柄などを顕在化させる構成とされている。このような発光式看板装置は、店舗の屋外において周辺道路の至るところから視認されることが意図される。このため、上記表示カバーは、互いに反対側から視認される部分に、文字や図柄が設けられる。これに対し、上記ＬＥＤ照明灯は、上記主出射方向に向けて光が偏って発せられる。このため、上記ＬＥＤ照明灯を上記発光式看板装置に採用すると、互いに反対側から視認される文字や図柄のいずれかに向かう光量が不足し、そのすべてを明瞭に顕在化させることが困難であった。
【先行技術文献】
【特許文献】
【０００４】
【特許文献１】特開２０１３−２４３３１６号公報
【発明の概要】
【発明が解決しようとする課題】
【０００５】
本発明は、上記した事情のもとで考え出されたものであって、より広い領域に光を出射することが可能なＬＥＤ照明灯および発光式看板装置を提供することをその課題とする。
【課題を解決するための手段】
【０００６】
本発明の第一の側面によって提供されるＬＥＤ照明灯は、複数のＬＥＤチップを有するＬＥＤ発光部と、上記ＬＥＤ発光部を支持する支持部材と、上記ＬＥＤ発光部および上記支持部材を収容し、かつ上記ＬＥＤ発光部からの光を透過する、第一方向に一致する軸方向を有する筒状の透光カバーと、を備えるＬＥＤ照明灯であって、上記ＬＥＤ発光部は、各々の主出射方向が上記第一方向に対して直角である第二方向において互いに反対側を向く第一発光列および第二発光列を有することを特徴としている。
【０００７】
本発明の好ましい実施の形態においては、上記支持部材は、上記第二方向において上記ＬＥＤ発光部の上記第発光一列および上記第二発光列の間に介在し、かつ上記第一方向および上記第二方向のいずれに対しても直角である第三方向に起立部を有する。
【０００８】
本発明の好ましい実施の形態においては、上記ＬＥＤ発光部は、上記複数のＬＥＤチップのうち上記第一発光列に含まれるものを支持する第一ＬＥＤ基板と、上記複数のＬＥＤチップのうち上記第二発光列に含まれるものを支持する第二ＬＥＤ基板と、を有する。
【０００９】
本発明の好ましい実施の形態においては、上記第一ＬＥＤ基板および上記第二ＬＥＤ基板は、上記第一方向を長手方向とし、上記第二方向を厚さ方向とする長矩形状である。
【００１０】
本発明の好ましい実施の形態においては、上記支持部材は、上記ＬＥＤ発光部のうち上記第一発光列を構成する部分と係合する第一係合部と、上記ＬＥＤ発光部のうち上記第二発光列を構成する部分と係合する第二係合部と、を有する。
【００１１】
本発明の好ましい実施の形態においては、上記ＬＥＤ発光部のうち上記第一発光列を構成する部分を、上記第一係合部に対して上記第一方向に相対動させることにより係合させ、上記ＬＥＤ発光部のうち上記第二発光列を構成する部分を、上記第二係合部に対して上記第一方向に相対動させることにより係合させる。
【００１２】
本発明の好ましい実施の形態においては、上記ＬＥＤ発光部のうち上記第一発光列を構成する部分と上記起立部との間、および上記ＬＥＤ発光部のうち上記第二発光列を構成する部分と上記起立部との間に、充填材が介在している。
【００１３】
本発明の好ましい実施の形態においては、上記ＬＥＤ発光部のうち上記第一発光列を構成する部分と上記ＬＥＤ発光部のうち上記第二発光列を構成する部分とは、上記起立部に接着されている。
【００１４】
本発明の好ましい実施の形態においては、上記起立部は、一つの壁板部からなる。
【００１５】
本発明の好ましい実施の形態においては、上記起立部は、上記第二方向において互いに離間し、かつ互いに平行である二つの壁板部からなる。
【００１６】
本発明の好ましい実施の形態においては、上記支持部材は、上記二つの壁板部を連結する連結板部を有する。
【００１７】
本発明の好ましい実施の形態においては、上記ＬＥＤ発光部に電力を供給する電源部を備える。
【００１８】
本発明の好ましい実施の形態においては、上記支持部材は、電源部収容部を有する。
【００１９】
本発明の好ましい実施の形態においては、上記電源部収容部は、上記起立部に対して、上記第一方向および上記第二方向のいずれに対しても直角である第三方向に偏位して配置されている。
【００２０】
本発明の好ましい実施の形態においては、上記ＬＥＤ発光部に電力を供給する電源部を備え、上記支持部材は、上記電源部を収容する電源部収容部を有しており、上記起立部は、上記電源部収容部を構成する部材とは別部材とされ、かつ上記電源部収容部を構成する部材に接合されている。
【００２１】
本発明の好ましい実施の形態においては、上記ＬＥＤ発光部に電力を供給する電源部を備え、上記支持部材は、上記起立部の上記二つの壁板部によって構成され、上記電源部を収容する電源部収容部を有する。
【００２２】
本発明の好ましい実施の形態においては、上記電源部は、複数の電子部品と、これらの電子部品が搭載された搭載面および少なくともこの搭載面に形成された配線パターンを有する電源基板とを具備しており、上記電源基板は、厚さ方向に貫通し、かつ上記複数の電子部品のいずれかである特定電子部品の少なくとも一部を収容する空隙部を有する。
【００２３】
本発明の好ましい実施の形態においては、上記空隙部は、上記電源基板を貫通する貫通孔である。
【００２４】
本発明の好ましい実施の形態においては、上記電源基板は、細長状である。
【００２５】
本発明の好ましい実施の形態においては、上記電源基板は、幅方向において上記空隙部を挟む一対の側枠部を有している。
【００２６】
本発明の好ましい実施の形態においては、上記複数の電子部品は、上記一対の側枠部を避けた位置に搭載されている。
【００２７】
本発明の好ましい実施の形態においては、上記特定電子部品は、上記電源基板の長手方向両側に突出する複数の実装端子を有している。
【００２８】
本発明の好ましい実施の形態においては、上記特定電子部品は、トランスである。
【００２９】
本発明の好ましい実施の形態においては、上記透光カバーは、上記第一方向に延びており、かつ上記支持部材と係合する内向きリブを有する。
【００３０】
本発明の好ましい実施の形態においては、上記支持部材は、上記第一方向に延びており、かつ上記透光カバーの上記内向きリブと係合する外向きリブを有する。
【００３１】
本発明の第二の側面によって提供される発光式看板装置は、本発明の第一の側面によって提供される複数の上記ＬＥＤ照明灯と、これらのＬＥＤ照明灯を覆う表示カバーと、を備えることを特徴としている。
【００３２】
本発明の好ましい実施の形態においては、上記複数のＬＥＤ照明灯は、上記第三方向に沿って平行に配置されている。
【００３３】
本発明の好ましい実施の形態においては、上記表示カバーは、上記複数のＬＥＤ照明灯を挟んで上記第二方向に離間配置された一対の表示パネル部を有する。
【００３４】
このような構成によれば、上記ＬＥＤ発光部は、上記第二方向において互いに反対側を向く主出射方向を有する上記第一発光列と上記第二発光列とから光を出射する。したがって、上記ＬＥＤ照明灯は、より広い領域に光を出射することができる。
【００３５】
本発明のその他の特徴および利点は、添付図面を参照して以下に行う詳細な説明によって、より明らかとなろう。
【図面の簡単な説明】
【００３６】
【図１】本発明の第一実施形態に基づくＬＥＤ照明灯が用いられた発光式看板装置を示す斜視図である。
【図２】本発明の第一実施形態に基づくＬＥＤ照明灯を示す正面図である。
【図３】図２のＬＥＤ照明装置を示す要部斜視図である。
【図４】図３のＩＶ−ＩＶ線に沿う断面図である。
【図５】図２のＬＥＤ照明装置のＬＥＤモジュールを示す断面図である。
【図６】図２のＬＥＤ照明装置の電源部を示す平面図である。
【図７】図６のＶＩＩ−ＶＩＩ線に沿う断面図である。
【図８】図７のＶＩＩＩ−ＶＩＩＩ線に沿う断面図である。
【図９】図８に示す電源部を示す要部拡大断面図である。
【図１０】本発明の第二実施形態に基づくＬＥＤ照明灯を示す断面図である。
【図１１】本発明の第三実施形態に基づくＬＥＤ照明灯を示す断面図である。
【図１２】本発明の第四実施形態に基づくＬＥＤ照明灯を示す断面図である。
【図１３】本発明の第五実施形態に基づくＬＥＤ照明灯を示す断面図である。
【図１４】本発明の第六実施形態に基づくＬＥＤ照明灯を示す断面図である。
【図１５】本発明の第七実施形態に基づくＬＥＤ照明灯を示す断面図である。
【発明を実施するための形態】
【００３７】
以下、本発明の好ましい実施の形態につき、図面を参照して具体的に説明する。
【００３８】
図１は、本発明の第一実施形態に基づくＬＥＤ照明灯Ａ１が用いられた発光式看板装置Ｂ１を示している。発光式看板装置Ｂ１は、複数のＬＥＤ照明灯Ａ１、表示カバー６１および給電フレーム６３を備えている。複数のＬＥＤ照明灯Ａ１は、発光式看板装置Ｂ１の光源として機能する。なお、発光式看板装置Ｂ１におけるＬＥＤ照明灯Ａ１の設置姿勢は、図中のｘ方向、ｙ方向およびｚ方向を基準となっており、これらの方向とＬＥＤ照明灯Ａ１の各部との関係は、後述する関係となっている。
【００３９】
表示カバー６１は、複数のＬＥＤ照明灯Ａ１からの光を透過させることにより、文字や図柄などを顕在化させるものであり、複数のＬＥＤ照明灯Ａ１および給電フレーム６３を収容している。表示カバー６１は、たとえば半透明な樹脂などからなる。表示カバー６１は、一対の表示パネル部６２を有する。一対の表示パネル部６２は、複数のＬＥＤ照明灯Ａ１を挟んでｙ方向に離間配置されており、各々がｚｘ平面に略沿っている。各表示パネル部６２には、たとえば店舗の名称やブランド化された図柄が、着色あるいは凹凸成形によって作りこまれている。
【００４０】
複数のＬＥＤ照明灯Ａ１は、ｚ方向に配列されており、各々がｘ方向に沿う姿勢とされている。給電フレーム６３は、複数のＬＥＤ照明灯Ａ１を固定し、かつこれらに給電するためのものである。
【００４１】
図２〜図４は、ＬＥＤ照明灯Ａ１を示している。図２は、給電フレーム６３に取り付けられたあるＬＥＤ照明灯Ａ１を示す正面図である。図３は、ＬＥＤ照明灯Ａ１を示す要部斜視図である。図４は、図３のＶＩ−ＶＩ線に沿う断面図である。ＬＥＤ照明灯Ａ１は、支持部材１、ＬＥＤ発光部２、電源部３、透光カバー４および一対の口金５を備えており、直管形蛍光灯の代替品として用いられる。
【００４２】
支持部材１は、ＬＥＤ発光部２を支持するためのものであり、さらに電源部３を収容している。支持部材１は、たとえばアルミからなり、ＬＥＤ発光部２から発せられた熱を逃がす機能を果たす。支持部材１は、ｘ方向を長手方向とする細長状であり、図３に示すように、２つの主板部１１、２つの傾斜板部１２、２つの側板部１３、起立部１４、２つの連結板部１６、第一係合部１７Ａおよび第二係合部１７Ｂを有している。なお、支持部材１は、たとえばアルミを対象材とした押出成形によって形成可能であり、この場合、断面形状は一定である。
【００４３】
２つの主板部１１は、支持部材１の略中央に位置しており、ｚ方向に対して直角である板状部分である。２つの主板部１１は、ｙ方向に離間配置されている。各主板部１１は、ｘ方向に長く延びている。
【００４４】
２つの傾斜板部１２は、２つの主板部１１に対してｙ方向外方に繋がる板状部分である。各傾斜板部１２は、ｘ方向に長く延びており、主板部１１からｙ方向に離間するほどｚ方向図中上方に位置するように傾斜している。
【００４５】
２つの側板部１３は、２つの傾斜板部１２に対してｚ方向図中上方に繋がる板状部分である。各側板部１３は、ｘ方向に長く延びており、ｙ方向に対して直角である。各１３には、外向きリブ１９が形成されている。外向きリブ１９は、側板部１３のｚ方向中央付近にあり、ｙ方向外方に突出しており、ｘ方向に長く延びている。
【００４６】
起立部１４は、支持部材１のｙ方向略中央において、ｚ方向に沿って起立する部分である。本実施形態においては、起立部１４は、２つの壁板部１５からなる。２つの壁板部１５は、互いにｙ方向に離間している。各壁板部１５は、ｘ方向に長く延びており、ｙ方向に対して直角である。
【００４７】
２つの連結板部１６は、２つの壁板部１５を連結しており、互いにｚ方向に離間配置されている。各連結板部１６は、ｘ方向に長く延びており、ｚ方向に対して直角である。
【００４８】
第一係合部１７Ａは、後述するＬＥＤ発光部２の一部を、図３における図中右方の壁板部１５の図中右側において固定するための部分である。本実施形態においては、第一係合部１７Ａは、図中右方の壁板部１５のｚ方向上下端に位置するｘ方向に長く延びるレール部として構成されている。
【００４９】
第二係合部１７Ｂは、後述するＬＥＤ発光部２の一部を、図３における図中左方の壁板部１５の図中左側側において固定するための部分である。本実施形態においては、第二係合部１７Ｂは、図中左方の壁板部１５のｚ方向上下端に位置するｘ方向に長く延びるレール部として構成されている。
【００５０】
また、支持部材１は、電源収容部１８を有している。電源収容部１８は、電源部３を収容する部位であり、本実施形態においては、２つの主板部１１、２つの傾斜板部１２および２つの側板部１３によって区画された空間が電源収容部１８とされている。
【００５１】
ＬＥＤ発光部２は、支持部材１によって支持されており、第一発光列２０Ａおよび第二発光列２０Ｂを有している。第一発光列２０Ａは、支持部材１の起立部１４の図中右方において、ｙ方向右方を主出射方向として光を出射する部位である。第二発光列２０Ｂは、支持部材１の起立部１４の図中左方において、ｙ方向左方を主出射方向として光を出射する部位である。
【００５２】
本実施形態における具体的構成では、ＬＥＤ発光部２は、第一ＬＥＤ基板２１Ａ、第二ＬＥＤ基板２１Ｂおよび複数のＬＥＤモジュール２２を有している。複数のＬＥＤモジュール２２は、第一ＬＥＤ基板２１ＡおよびB第二ＬＥＤ基板２１Ｂにそれぞれ搭載されている。本実施形態においては、第一ＬＥＤ基板２１Ａと複数のＬＥＤモジュール２２のうち第一ＬＥＤ基板２１Ａに搭載されたものとが、第一発光列２０Ａを構成すると観念される。また、第二ＬＥＤ基板２１Ｂと複数のＬＥＤモジュール２２のうち第二ＬＥＤ基板２１Ｂに搭載されたものとが、第二発光列２０Ｂを構成すると観念される。
【００５３】
第一ＬＥＤ基板２１Ａは、たとえばセラミックまたはガラスエポキシ樹脂などの絶縁材料からなる基材および配線パターン（図示略）からなる。第一ＬＥＤ基板２１Ａは、ｘ方向を長手方向としｚ方向を幅方向、ｙ方向を厚さ方向とする略長矩形状である。第一ＬＥＤ基板２１Ａは、起立部１４の図中右方に固定されている。本実施形態においては、第一ＬＥＤ基板２１Ａは、支持部材１の第一係合部１７Ａに対してｘ方向一方側からｘ方向に相対動させることにより、第一係合部１７Ａに係合し、支持されている。なお、第一ＬＥＤ基板２１Ａと支持部材１の起立部１４（図中右方の壁板部１５）との間に充填剤を設けてもよい。この充填剤としては、たとえばシリコーンなどからなる非接着性のペースト、あるいは接着剤が挙げられる。
【００５４】
第二ＬＥＤ基板２１Ｂは、たとえばセラミックまたはガラスエポキシ樹脂などの絶縁材料からなる基材および配線パターン（図示略）からなる。第二ＬＥＤ基板２１Ｂは、ｘ方向を長手方向としｚ方向を幅方向、ｙ方向を厚さ方向とする略長矩形状である。第二ＬＥＤ基板２１Ｂは、起立部１４の図中左方に固定されている。本実施形態においては、第二ＬＥＤ基板２１Ｂは、支持部材１の第二係合部１７Ｂに対してｘ方向一方側からｘ方向に相対動させることにより、第二係合部１７Ｂに係合し、支持されている。なお、第二ＬＥＤ基板２１Ｂと支持部材１の起立部１４（図中左方の壁板部１５）との間に充填剤を設けてもよい。この充填剤としては、たとえばシリコーンなどからなる非接着性のペースト、あるいは接着剤が挙げられる。
【００５５】
複数のＬＥＤモジュール２２は、第一ＬＥＤ基板２１Ａおよび第二ＬＥＤ基板２１Ｂのそれぞれにｘ方向に沿って一列に搭載されている。図５は、あるＬＥＤモジュール２２を横切るｙｚ平面における断面図である。同図に示すように、ＬＥＤモジュール２２は、ＬＥＤチップ２２ａ、リード２２ｂ、ケース２２ｃおよび封止樹脂２２ｄを有する。ＬＥＤチップ２２ａは、たとえば青色光を発する。リード２２ｂは、ＬＥＤチップ２２ａを支持しており、またＬＥＤチップ２２ａへの導通経路を形成している。リード２２ｂは、たとえばＣｕからなる。ケース２２ｃは、リード２２ｂの少なくとも一部を覆い、かつＬＥＤチップ２２ａを囲む枠状に形成されており、たとえば白色のエポキシ樹脂からなる。封止樹脂２２ｄは、ＬＥＤチップ２２ａを覆っており、ケース２２ｃによって囲まれた領域に充填されている。封止樹脂２２ｄは、たとえば透明なエポキシ樹脂に蛍光材料が混入された材質からなる。この蛍光材料は、ＬＥＤチップ２２ａからの青色光によって励起されることにより、黄色光を発する。あるいは、ＬＥＤチップ２２ａからの青色光によって励起されることにより、赤色光を発する蛍光材料と緑色光を発する蛍光材料とを用いてもよい。このような構成により、ＬＥＤモジュール２２からは、たとえば昼光色などの白色、あるいは電球色などが発せられる。
【００５６】
電源部３は、電源基板３１および複数の電子部品３５からなる。電源部３は、たとえば商用の１００Ｖ交流電力を、ＬＥＤ発光部２を点灯させるのに適した定電流直流電力に変換する、ＡＣ／ＤＣ変換機能を果たす。図６は、電源部３を示す平面図である。図７は、図６のＶＩＩ−ＶＩＩ線に沿うｙｚ平面における断面図であり、図８は、図７のＶＩＩＩ−ＶＩＩＩ線に沿うｚｘ平面における断面図である。図９は、図８における要部を示す要部拡大断面図である。
【００５７】
電源基板３１は、たとえばガラスエポキシ樹脂からなる基材を有しており、搭載面３１ａを有している。電源基板３１には、空隙部３３が形成されている。空隙部３３は、本実施形態においては、電源基板３１を貫通する貫通孔であり、ｘ方向を長手方向とし、ｙ方向を幅方向とする略長矩形状である。また、電源基板３１は、一対の側枠部３４を有している。一対の側枠部３４は、空隙部３３を挟んでｙ方向に離間しており、各々がｘ方向に細長く延びている。本実施形態においては、電源基板３１は、ｘ方向寸法が２９０ｍｍ程度、ｙ方向寸法が２０ｍｍ程度である。また、側枠部３４のｙ方向寸法は、２ｍｍ程度である。また、電源基板３１は、図示しない配線パターンを有している。この配線パターンは、複数の電子部品３５への導通経路を形成するものであり、たとえばＣｕメッキ層によって構成されている。上記配線パターンは、少なくとも搭載面３１ａ上に形成されており、本実施形態においては、反対側の裏面にも形成されている。
【００５８】
複数の電子部品３５は、電源部３のＡＣ／ＤＣ変換機能や定電流制御を実現する電気回路を構成するものである。複数の電子部品３５は、電源基板３１の搭載面３１ａに実装されており、上記配線パターンを介して互いに適宜導通している。複数の電子部品３５は、たとえば、整流回路、昇圧回路、平滑回路、定電流回路および降圧回路を構成している。
【００５９】
上記降圧回路は、上記定電流回路からの直流電力をＬＥＤ発光部２の複数のＬＥＤチップ２２ａの点灯に適した電圧に降圧する回路である。この降圧回路は、本発明で言う特定電子部品としてのトランス３５ａを含んで構成される。トランス３５ａの一部は、電源基板３１の空隙部３３に収容されている。本実施形態においては、トランス３５ａのｚ方向一端部が空隙部３３に収容されており、それ以外の部分が、電源基板３１の搭載面３１ａ側に突出している。トランス３５ａは、複数の実装端子３５ｂを有している。複数の実装端子３５ｂは、トランス３５ａからｘ方向両側に突出しており、各々の先端がｚ方向視において搭載面３１ａと重なっている。図９によく表れているように、各実装端子３５ｂは、搭載面３１ａの上記配線パターンの一部であるパッドにはんだによって接合されており、いわゆる面実装型のトランスとして構成されている。
【００６０】
図４に示すように、本実施形態においては、電源部３は、電源収容部１８に配置されている。また、電源部３は、電源基板３１の搭載面３１ａが支持部材１の主板部１１および傾斜板部１２と正対する姿勢とされている。このため、複数の電子部品３５は、ｚ方向において支持部材１の主板部１１および傾斜板部１２と電源基板３１とに挟まれており、ｙ方向において２つの側板部１３に挟まれた格好となっている。
【００６１】
透光カバー４は、ｘ方向に長く延びる略円筒形状であり、たとえば、塩化水銀などの拡散材を添加された透明なポリカーボネート樹脂により形成されている。透光カバー４は、ＬＥＤ発光部２からの光を拡散しつつ透過する。図４に示すように、透光カバー４には、２つの内向きリブ４１が形成されている。各内向きリブ４１は、ｘ方向に長く延びており、ｙ方向内方に突出している。内向きリブ４１に支持部材１の外向きリブ１９が係合することにより、透光カバー４に対して支持部材１がずれたり回転したりすることが阻止されている。
【００６２】
口金５は、透光カバー４の両端に取り付けられている。口金５は、発光式看板装置Ｂ１の給電フレーム６３に対してＬＥＤ照明灯Ａ１を取り付けるとともに、電源部３へと交流電力を導く経路となる。
【００６３】
次に、ＬＥＤ照明灯Ａ１および発光式看板装置Ｂ１の作用について説明する。
【００６４】
本実施形態によれば、ＬＥＤ発光部２は、ｙ方向において互いに反対側を向く主出射方向を有する第一発光列２０Ａと第二発光列２０Ｂとから光を出射する。したがって、ＬＥＤ照明灯Ａ１は、より広い領域に光を出射することができる。
【００６５】
ｚ方向に起立する起立部１４を有することにより、ＬＥＤ発光部２のうち第一発光列２０Ａを構成する部位と第二発光列２０Ｂを構成する部位とを、ｙ方向において互いに反対側に適切に配置することができる。
【００６６】
第一ＬＥＤ基板２１Ａおよび第二ＬＥＤ基板２１Ｂを備えることにより、複数のＬＥＤモジュール２２（ＬＥＤチップ２２ａ）をｘ方向に容易に配列しつつ、支持部材１によって確実に支持させることができる。
【００６７】
第一係合部１７Ａおよび第二係合部１７Ｂに第一ＬＥＤ基板２１Ａおよび第二ＬＥＤ基板２１Ｂを係合によって固定することにより、第一ＬＥＤ基板２１Ａおよび第二ＬＥＤ基板２１Ｂを支持部材１に対して圧着する作業が不要である。ｙ方向両側に複数のＬＥＤモジュール２２（ＬＥＤチップ２２ａ）が存在するＬＥＤ照明灯Ａ１においては、ｙ方向両側から圧着する作業を回避しうることは、作業効率の向上に資する。
【００６８】
起立部１４が２つの壁板部１５によって構成されることにより、第一ＬＥＤ基板２１Ａに搭載された複数のＬＥＤチップ２２ａからの熱と第二ＬＥＤ基板２１Ｂに搭載された２２ａからの熱とを、別々の経路で逃すことができる。これは、複数のＬＥＤチップ２２ａからの放熱向上に有利である。
【００６９】
連結板部１６によって２つの壁板部１５を連結することにより、支持部材１の剛性を向上させることができる。
【００７０】
また、トランス３５ａの一部が電源基板３１の空隙部３３に収容されていることにより、電源部３の小型化、特にｚ方向寸法の縮小が図られている。これにより、ＬＥＤ発光部２を配置するための空間をより大きく確保することができる。そのため、たとえば、ＬＥＤモジュール２２と第一係合部１７Ａおよび第二係合部１７Ｂとのｚ方向距離をより大きく確保することが可能である。この距離は、支持部材１とＬＥＤモジュール２２との絶縁に寄与する距離である。この距離が大きいほど、ＬＥＤ照明灯Ａ１の動作を安定させることができる。
【００７１】
空隙部３３が、電源基板３１を貫通する貫通孔であることにより、トランス３５ａを収容する空間を確保するとともに、電源基板３１の剛性が不当に低下してしまうことを防止することができる。
【００７２】
複数の電子部品３５が、一対の側枠部３４を避けた位置に搭載されていることにより、側枠部３４をいたずらに太くする必要がなく、空隙部３３が形成された部分のｙ方向寸法が大きくなってしまうことを回避することができる。
【００７３】
電源部３の機能を適切に果たすためには、トランス３５ａとして大型のものを選定することが好ましい。この大型であるトランス３５ａを空隙部３３に収容することは、電源部３の小型化に有利である。また、トランス３５ａは、複数の実装端子３５ｂを有する面実装型である。このため、実装端子３５ｂは、搭載面３１ａに沿って延びており、電源基板３１の厚さ方向に突出することがない。したがって、電源部３のｚ方向寸法の縮小に適している。
【００７４】
発光式看板装置Ｂ１は、ｙ方向両側のより広い領域に光を出射する複数のＬＥＤ照明灯Ａ１を光源として備えている。このため、表示カバー６１のより広い範囲から光が透過し、文字や図柄をより鮮明に顕在化させることができる。
【００７５】
各々がｘ方向に長く延びる複数のＬＥＤ照明灯Ａ１がｚ方向にが配列されていることにより、発光式看板装置Ｂ１は、ｙ方向寸法が比較的小であり、かつｚｘ平面における寸法が大である。さらに、複数のＬＥＤ照明灯Ａ１をｙ方向両側から挟むように２つの表示パネル部６２が配置されている。これらの表示パネル部６２は、複数のＬＥＤ照明灯Ａ１から十分な光量の光を受けることが可能であり、文字や図柄を鮮明に顕在化させるのに好適である。
【００７６】
図１０〜図１５は、本発明の他の実施形態を示している。なお、これらの図において、上記実施形態と同一または類似の要素には、上記実施形態と同一の符号を付している。
【００７７】
図１０は、本発明の第二実施形態に基づくＬＥＤ照明灯を示している。本実施形態のＬＥＤ照明灯Ａ２は、起立部１４の構成が上述したＬＥＤ照明灯Ａ１と異なっている。
【００７８】
本実施形態においては、起立部１４は、１つの壁板部１５からなる。壁板部１５は、支持部材１のｙ方向略中央に配置されている。壁板部１５のｙ方向右方には、ＬＥＤ発光部２のうち第一発光列２０Ａを構成する部分、すなわち第一ＬＥＤ基板２１Ａおよびこれに搭載された複数のＬＥＤモジュール２２が固定されている。壁板部１５のｙ方向左方には、ＬＥＤ発光部２のうち第二発光列２０Ｂを構成する部分、すなわち第二ＬＥＤ基板２１Ｂおよびこれに搭載された複数のＬＥＤモジュール２２が固定されている。第一係合部１７Ａを用いて第一ＬＥＤ基板２１Ａを固定し、第二係合部１７Ｂを用いて第二ＬＥＤ基板２１Ｂを固定する点は、上述したＬＥＤ照明灯Ａ１と同様である。
【００７９】
このような実施形態によっても、ＬＥＤ照明灯Ａ２は、より広い領域に光を出射することができる。また、ＬＥＤ照明灯Ａ２が適用された発光式看板装置Ｂ１は、表示カバー６１のより広い範囲から光が透過し、文字や図柄をより鮮明に顕在化させることができる。また、支持部材１の重量を軽減することが可能であり、ＬＥＤ照明灯Ａ２の軽量化を図ることができる。
【００８０】
図１１は、本発明の第三実施形態に基づくＬＥＤ照明灯を示している。本実施形態のＬＥＤ照明灯Ａ３は、第一ＬＥＤ基板２１Ａおよび第二ＬＥＤ基板２１Ｂの支持部材１に対する固定方法が上述したＬＥＤ照明灯Ａ１と異なっている。
【００８１】
本実施形態においては、支持部材１には、上述した第一係合部１７Ａおよび第二係合部１７Ｂは、形成されていない、第一ＬＥＤ基板２１Ａおよび第二ＬＥＤ基板２１Ｂは、それぞれ接着層２７によって起立部１４（２つの壁板部１５）に接着されている。接着層２７は、塗布された接着剤であってもよいし、接着テープであってもよい。
【００８２】
このような実施形態によっても、ＬＥＤ照明灯Ａ３は、より広い領域に光を出射することができる。また、ＬＥＤ照明灯Ａ３が適用された発光式看板装置Ｂ１は、表示カバー６１のより広い範囲から光が透過し、文字や図柄をより鮮明に顕在化させることができる。また、接着層２７を用いて第一ＬＥＤ基板２１Ａおよび第二ＬＥＤ基板２１Ｂを起立部１４に接着することにより、複数のＬＥＤモジュール２２（ＬＥＤチップ２２ａ）からの熱をより効率よく起立部１４に伝えることが可能である。
【００８３】
図１２は、本発明の第四実施形態に基づくＬＥＤ照明灯を示している。本実施形態のＬＥＤ照明灯Ａ４は、第一ＬＥＤ基板２１Ａおよび第二ＬＥＤ基板２１Ｂの支持部材１に対する固定方法が上述したＬＥＤ照明灯Ａ２と異なっている。
【００８４】
本実施形態においては、支持部材１には、上述した第一係合部１７Ａおよび第二係合部１７Ｂは、形成されていない、第一ＬＥＤ基板２１Ａおよび第二ＬＥＤ基板２１Ｂは、それぞれ接着層２７によって起立部１４（壁板部１５）に接着されている。接着層２７は、塗布された接着剤であってもよいし、接着テープであってもよい。
【００８５】
このような実施形態によっても、ＬＥＤ照明灯Ａ４は、より広い領域に光を出射することができる。また、ＬＥＤ照明灯Ａ４が適用された発光式看板装置Ｂ１は、表示カバー６１のより広い範囲から光が透過し、文字や図柄をより鮮明に顕在化させることができる。また、接着層２７を用いて第一ＬＥＤ基板２１Ａおよび第二ＬＥＤ基板２１Ｂを起立部１４に接着することにより、複数のＬＥＤモジュール２２（ＬＥＤチップ２２ａ）からの熱をより効率よく起立部１４に伝えることが可能である。
【００８６】
図１３は、本発明の第五実施形態に基づくＬＥＤ照明灯を示している。本実施形態のＬＥＤ照明灯Ａ５は、支持部材１が２つの部材からなる構造とされている点が、上述したＬＥＤ照明灯Ａ４と異なっている。
【００８７】
本実施形態においては、支持部材１は、起立部１４（壁板部１５）を構成する部材と、主板部１１、２つの傾斜板部１２および２つの側板部１３を構成する部材とによって構成されている。これらの２つの部材は、たとえば接着あるいは溶接などの手法によって接合されている。
【００８８】
このような実施形態によっても、ＬＥＤ照明灯Ａ５は、より広い領域に光を出射することができる。また、ＬＥＤ照明灯Ａ５が適用された発光式看板装置Ｂ１は、表示カバー６１のより広い範囲から光が透過し、文字や図柄をより鮮明に顕在化させることができる。
【００８９】
図１４は、本発明の第六実施形態に基づくＬＥＤ照明灯を示している。本実施形態のＬＥＤ照明灯Ａ６は、支持部材１の構成および電源部３の収容形態が、上述したＬＥＤ照明灯Ａ１と異なっている。
【００９０】
本実施形態においては、支持部材１は、２つの傾斜板部１２、２つの側板部１３、２つの壁板部１５および２つの連結板部１６を有している。
【００９１】
２つの壁板部１５は、ＬＥＤ照明灯Ａ１と同様に起立部１４を構成している。本実施形態においては、壁板部１５どうしのｙ方向距離がＬＥＤ照明灯Ａ１における距離よりも大とされている。
【００９２】
２つの壁板部１５のｚ方向図中下端どうしが一方の連結板部１６によって連結されている。２つの壁板部１５のｚ方向図中上端には、２つの傾斜板部１２がそれぞれ繋がっている。なお、壁板部１５と傾斜板部１２との間に上述した主板部１１を有する構成であってもよい。２つの傾斜板部１２のｚ方向図中上端には、２つの側板部１３が繋がっている。２つの側板部１３のｚ方向図中上端どうしは、他方の連結板部１６によって連結されている。
【００９３】
本実施形態においては、２つの壁板部１５によって挟まれた空間が、電源収容部１８とされている。そして、この電源収容部１８に、電源部３が収容されている。すなわち、本実施形態においては、２つの壁板部１５の間に電源部３が位置している。また、電源部３は、電源基板３１の厚さ方向がｙ方向と一致し、幅方向がｚ方向と位置する姿勢で電源収容部１８に収容されている。
【００９４】
このような実施形態によっても、ＬＥＤ照明灯Ａ６は、より広い領域に光を出射することができる。また、ＬＥＤ照明灯Ａ６が適用された発光式看板装置Ｂ１は、表示カバー６１のより広い範囲から光が透過し、文字や図柄をより鮮明に顕在化させることができる。また、電源部３を第一発光列２０Ａと第二発光列２０Ｂとの間に位置させることにより、第一発光列２０Ａと第二発光列２０Ｂとをｚ方向において透光カバー４の中央により近づけて配置することが可能である。これにより、ＬＥＤ照明灯Ａ６からよりひろい範囲に光を出射することができる。
【００９５】
図１５は、本発明の第七実施形態に基づくＬＥＤ照明灯を示している。本実施形態のＬＥＤ照明灯Ａ７は、第一ＬＥＤ基板２１Ａおよび第二ＬＥＤ基板２１Ｂの支持部材１に対する固定方法が、上述したＬＥＤ照明灯Ａ６と異なっている。
【００９６】
本実施形態においては、支持部材１には、上述した第一係合部１７Ａおよび第二係合部１７Ｂは、形成されていない、第一ＬＥＤ基板２１Ａおよび第二ＬＥＤ基板２１Ｂは、それぞれ接着層２７によって起立部１４（２つの壁板部１５）に接着されている。接着層２７は、塗布された接着剤であってもよいし、接着テープであってもよい。
【００９７】
このような実施形態によっても、ＬＥＤ照明灯Ａ７は、より広い領域に光を出射することができる。また、ＬＥＤ照明灯Ａ７が適用された発光式看板装置Ｂ１は、表示カバー６１のより広い範囲から光が透過し、文字や図柄をより鮮明に顕在化させることができる。また、接着層２７を用いて第一ＬＥＤ基板２１Ａおよび第二ＬＥＤ基板２１Ｂを起立部１４に接着することにより、複数のＬＥＤモジュール２２（ＬＥＤチップ２２ａ）からの熱をより効率よく起立部１４に伝えることが可能である。
【００９８】
本発明に係るＬＥＤ照明灯および発光式看板装置は、上述した実施形態に限定されるものではない。本発明に係るＬＥＤ照明灯および発光式看板装置の各部の具体的な構成は、種々に設計変更自在である。
【００９９】
各々がＬＥＤチップ２２ａを具備する複数のＬＥＤモジュール２２を備えた構成に代えて、第一ＬＥＤ基板２１Ａおよび第二ＬＥＤ基板２１Ｂのそれぞれに、複数のＬＥＤチップ２２ａを直接搭載した構成であってもよい。また、第一ＬＥＤ基板２１Ａおよび第二ＬＥＤ基板２１Ｂが省略され、支持部材１に配線パターンが形成され、複数のＬＥＤモジュール２２あるいは複数のＬＥＤチップ２２ａが、支持部材１に搭載された構成であってもよい。
【符号の説明】
【０１００】
Ｂ１      発光式看板装置
Ａ１〜Ａ７      ＬＥＤ照明灯
１      支持部材
１１      主板部
１２      傾斜板部
１３      側板部
１４      起立部
１５      壁板部
１６      連結板部
１７Ａ      第一係合部
１７Ｂ      第二係合部
１８      電源収容部
１９      外向きリブ
２      ＬＥＤ発光部
２０Ａ      第一発光列
２０Ｂ      第二発光列
２１Ａ      第一ＬＥＤ基板
２１Ｂ      第二ＬＥＤ基板
２２      ＬＥＤモジュール
２２ａ      ＬＥＤチップ
２２ｂ      リード
２２ｃ      ケース
２２ｄ      封止樹脂
２７      接着層
３      電源部
３１      電源基板
３１ａ      搭載面
３３      空隙部
３４      側枠部
３５      電子部品
３５ａ      トランス
３５ｂ      実装端子
４      透光カバー
４１      内向きリブ
５      口金
６１      表示カバー
６２      表示パネル部
６３      給電フレーム
【図１】
2015133248.tif 000003
【図２】
2015133248.tif 000004
【図３】
2015133248.tif 000005
【図４】
2015133248.tif 000006
【図５】
2015133248.tif 000007
【図６】
2015133248.tif 000008
【図７】
2015133248.tif 000009
【図８】
2015133248.tif 000010
【図９】
2015133248.tif 000011
【図１０】
2015133248.tif 000012
【図１１】
2015133248.tif 000013
【図１２】
2015133248.tif 000014
【図１３】
2015133248.tif 000015
【図１４】
2015133248.tif 000016
【図１５】
2015133248.tif 000017